(57)【特許請求の範囲】
【請求項１】
撮像レンズであって、
物体側から像側に向かって、順に、負の屈折力を有する第１レンズ、正の屈折力を有する第２レンズ、第３レンズ、負の屈折力を有する第４レンズ、正の屈折力を有する第５レンズ、第６レンズ、負の屈折力を有し、像側の面を自由曲面とした第７レンズから構成され、
そのうち、前記撮像レンズの焦点距離をｆ、前記第２レンズの焦点距離をｆ２、前記第３レンズの焦点距離をｆ３、前記第４レンズの焦点距離をｆ４、前記第１レンズの物体側の面から前記第２レンズの像側の面までの軸上距離をＤ１２、前記第２レンズの物体側の面から前記第３レンズの像側の面までの軸上距離をＤ２３にしたときに、以下の条件式を満足することを特徴とする撮像レンズ。
｜ｆ２／ｆ３｜≦０．０７                        
−０．５０≦ｆ２／ｆ４≦−０．３０              
０．５８≦Ｄ１２／ｆ≦０．６４                  
０．３５≦Ｄ２３／ｆ≦０．４５                  
【請求項２】
記第７レンズの焦点距離をｆ７にしたときに、以下の条件式を満足することを特徴とする請求項１に記載の撮像レンズ。
−４．５０≦ｆ７／ｆ≦−１．９０                
【請求項３】
前記第１レンズのアッベ数をν１、前記第２レンズのアッベ数をν２にしたときに、以下の条件式を満足することを特徴とする請求項１に記載の撮像レンズ。
０．９０≦ν１／ν２≦１．１０                  
【請求項４】
前記第３レンズのアッベ数をν３、前記第２レンズのアッベ数をν２にしたときに、以下の条件式を満足することを特徴とする請求項１に記載の撮像レンズ。
０．９０≦ν３／ν２≦１．１０                  
【発明の詳細な説明】
【技術分野】
【０００１】
本発明は、撮像レンズに関する発明である。特に、高画素用ＣＣＤ、ＣＭＯＳなどの撮像素子を使用したスマートフォン用モジュールカメラ、ＷＥＢカメラなどに好適な、全画角（以下、２ωとする）が、１１０°以上の広角で、ＴＶディストーション（ＴＶ  Ｄｉｓｔｏｒｔｉｏｎ、以下、｜ＴＶ＿Ｄ｜とする）が、１．０％以内で、良好な光学特性を有する７枚のレンズで構成される撮像レンズに関する発明である。
【背景技術】
【０００２】
近年、ＣＣＤやＣＭＯＳなどの撮像素子を使用した各種撮像装置で、ＴＶ＿Ｄが小さく、良好な光学特性を有する広角な撮像レンズが求められている。
【０００３】
｜ＴＶ＿Ｄ｜＜１．０％で、良好な光学特性を有する広角な７枚のレンズで構成され撮像レンズに関す技術開発が進められている。この７枚構成の撮像レンズとしては、物体から順に、負の屈折力を有する第１レンズ、正の屈折力を有する第２レンズ、第３レンズ、負の屈折力を有する第４レンズ、正の屈折力を有する第５レンズ、第６レンズ、負の屈折力を有する第７レンズで構成されたものが、特許文献１に提案されている。
【０００４】
特許文献１の実施例１、２、４、７に開示された撮像レンズは、第２レンズと第３レンズの焦点距離の比、第２レンズと第４レンズの焦点距離との比、及び、第１レンズの物体側の面から第２レンズの像側面までの軸上距離と撮像レンズ全体の焦点距離との比が不十分な為に、Ｄｉｓｔｏｒｔｉｏｎの補正が不十分で、｜ＴＶ＿Ｄ｜＞１．０％であった。
【先行技術文献】
【特許文献】
【０００５】
【特許文献１】中国公開特許番号  ＣＮ１１０２２１４０２Ａ
【発明の概要】
【発明が解決しようとする課題】
【０００６】
本発明の目的は、｜ＴＶ＿Ｄ｜＜１．０％で、良好な光学特性を有し、２ω＞１１０°の広角な７枚のレンズで構成される撮像レンズを提供することにある。
【課題を解決するための手段】
【０００７】
上記目標を達成するために、第２レンズと第３レンズの焦点距離の比、第２レンズと第４レンズの焦点距離との比、第１レンズの物体側の面から第２レンズの像側面までの軸上距離と撮像レンズ全体の焦点距離との比、及び、第２レンズの物体側の面から第３レンズの像側面までの軸上距離と撮像レンズ全体の焦点距離との比を鋭意検討し、且つ、第７レンズの像側の面を自由曲面した結果、従来技術の課題が改善された撮像レンズを得ることを見出し、本発明に到達した。
【０００８】
上記の技術的課題を解決するために、本発明の実施形態には、撮像レンズが提供され、当該撮像レンズは、物体側から像側に向かって、順に、負の屈折力を有する第１レンズ、正の屈折力を有する第２レンズ、第３レンズ、負の屈折力を有する第４レンズ、正の屈折力を有する第５レンズ、第６レンズ、負の屈折力を有し、像側の面を自由曲面とした第７レンズから構成され、
そのうち、前記撮像レンズの焦点距離をｆ、前記第２レンズの焦点距離をｆ２、前記第３レンズの焦点距離をｆ３、前記第４レンズの焦点距離をｆ４、前記第１レンズの物体側の面から前記第２レンズの像側の面までの軸上距離をＤ１２、前記第２レンズの物体側の面から前記第３レンズの像側の面までの軸上距離をＤ２３にしたときに、以下の条件式を満足する。
｜ｆ２／ｆ３｜≦０．０７                        
−０．５０≦ｆ２／ｆ４≦−０．３０              
０．５８≦Ｄ１２／ｆ≦０．６４                  
０．３５≦Ｄ２３／ｆ≦０．４５                  
【０００９】
好ましくは、前記第７レンズの焦点距離をｆ７にしたときに、以下の条件式を満足する。
−４．５０≦ｆ７／ｆ≦−１．９０                
【００１０】
好ましくは、前記第１レンズのアッベ数をν１、前記第２レンズのアッベ数をν２にしたときに、以下の条件式を満足する。
０．９０≦ν１／ν２≦１．１０                  
【００１１】
好ましくは、前記第３レンズのアッベ数をν３、前記第２レンズのアッベ数をν２にしたときに、以下の条件式を満足する。
０．９０≦ν３／ν２≦１．１０                  
【発明の効果】
【００１２】
本発明の有益な効果は下記の通りである。
【００１３】
本発明によれば、特に、高画素用ＣＣＤ、ＣＭＯＳなどの撮像素子を使用したスマートフォン用モジュールカメラ、ＷＥＢカメラなどに好適な、｜ＴＶ＿Ｄ｜＜１．０％で、良好な光学特性を有し、２ω＞１１０°の広角な７枚のレンズで構成される撮像レンズを提供することができる。
【図面の簡単な説明】
【００１４】
【図１】図１は、本発明の第１実施形態の撮像レンズの概略構成を示す図である。
【図２】図２は、本発明の第１実施形態の撮像レンズの各像高でのＲＭＳスポット（ＲＭＳ  ＳＰＯＴ）径を示す図である。
【図３】図３は、本発明の第１実施形態の撮像レンズのディストーショングリッド（Ｄｉｓｔｏｒｔｉｏｎ  Ｇｒｉｄ）を示す図である。
【図４】図４は、本発明の第２実施形態の撮像レンズの概略構成を示す図である。
【図５】図５は、本発明の第２実施形態の撮像レンズの各像高でのＲＭＳ  ＳＰＯＴ径を示す図である。
【図６】図６は、本発明の第２実施形態の撮像レンズのＤｉｓｔｏｒｔｉｏｎ  Ｇｒｉｄを示す図である。
【図７】図７は、本発明の第３実施形態の撮像レンズの概略構成を示す図である。
【図８】図８は、本発明の第３実施形態の撮像レンズの各像高でのＲＭＳ  ＳＰＯＴ径を示す図である。
【図９】図９は本発明の第３実施形態の撮像レンズのＤｉｓｔｏｒｔｉｏｎ  Ｇｒｉｄを示す図である。
【図１０】図１０は、ＴＶディストーション（ＴＶ  Ｄｉｓｔｏｒｔｉｏｎ）を説明する図である。
【発明を実施するための形態】
【００１５】
以下、図面及び実施形態を組み合わせて本発明をさらに説明する。
【００１６】
本発明の目的、技術考案及び利点をより明確にするために、以下に、図面を参照しながら本発明の各実施形態を詳しく説明する。ただし、本発明の各実施形態において、本発明に対する理解を便宜にするために、多くの技術的細部まで記載されているが、これらの技術的細部及び以下の各実施形態に基づく種々の変更及び修正がなくても、本発明が保護しようとする技術考案を実現可能であることは、当業者にとっては自明なことである。
【００１７】
（第１実施形態）
図１〜図４を合わせて参照すると、本発明には、第１実施形態に係る撮像レンズ１０が提供される。図１において、左側が物体側であり、右側が像側であり、当該撮像レンズ１０は、物体側から像側へ向かって、順に、第１レンズＬ１、第２レンズＬ２、第３レンズＬ３、第４レンズＬ４、第５レンズＬ５、第６レンズＬ６、第７レンズＬ７が配置された７枚構成のレンズ系を備えている。第７レンズＬ７と像面Ｓｉとの間に、ガラス平板ＧＦが配置される。このガラス平板ＧＦとしては、カバーガラス、及び、各種フィルターなどを想定したものである。本発明において、ガラス平板ＧＦは、異なる位置に配置されてもよく、省略した構成も可能である。
【００１８】
本実施形態において、第１レンズＬ１は、負の屈折力を有するレンズであり、第２レンズＬ２は、正の屈折力を有するレンズであり、第３レンズＬ３は、屈折力を有するレンズであり、第４レンズＬ４は、負の屈折力を有するレンズであり、第５レンズＬ５は、正の屈折力を有するレンズであり、第６レンズＬ６は、屈折力を有するレンズであり、第７レンズＬ７は、負の屈折力を有するレンズである。これらの７枚のレンズ表面は、諸収差を良好に補正するため、第１レンズＬ１の物体側の面Ｓ１〜第７レンズＬ７の物体側の面Ｓ１３までの全面を非球面形状とし、第７レンズＬ７の像側の面Ｓ１４を自由曲面形状とすることが望ましい。
【００１９】
この撮像レンズ１０は、以下の条件式（１）を満足する。
｜ｆ２／ｆ３｜≦０．０７                                      （１）
【００２０】
条件式（１）は、第２レンズＬ２の焦点距離ｆ２と第３レンズＬ３の焦点距離ｆ３との比の絶対値を規定するものである。条件式（１）の範囲内にすることにより、諸収差の補正が容易で、且つ、｜ＴＶ＿Ｄ｜＜１．０％での広角化が容易となる。
【００２１】
この撮像レンズ１０は、以下の条件式（２）を満足する。
−０．５０≦ｆ２／ｆ４≦−０．３０                            （２）
【００２２】
条件式（２）は、第２レンズＬ２の焦点距離ｆ２と第４レンズＬ４の焦点距離ｆ４との比を規定するものである。条件式（２）の範囲内にすることにより、諸収差の補正が容易で、且つ、｜ＴＶ＿Ｄ｜＜１．０％での広角化が容易となる。
【００２３】
この撮像レンズ１０は、以下の条件式（３）を満足する。
０．５８≦Ｄ１２／ｆ≦０．６４                                （３）
【００２４】
条件式（３）は、第１レンズＬ１の物体側の面Ｓ１から第２レンズの像側の面Ｓ４までの軸上距離Ｄ１２と撮像レンズ１０全体の焦点距離ｆとの比を規定するものである。条件式（３）の範囲内にすることにより、諸収差の補正が容易で、且つ、｜ＴＶ＿Ｄ｜＜１．０％での広角化が容易となる。
【００２５】
この撮像レンズ１０は、以下の条件式（４）を満足する。
０．３５≦Ｄ２３／ｆ≦０．４５                                （４）
【００２６】
条件式（４）は、第２レンズＬ２の物体側の面Ｓ３から第３レンズの像側の面Ｓ６までの軸上距離Ｄ２３と撮像レンズ１０全体の焦点距離ｆとの比を規定するものである。条件式（４）の範囲内にすることにより、諸収差の補正が容易で、且つ、｜ＴＶ＿Ｄ｜＜１．０％での広角化が容易となる。
【００２７】
この撮像レンズ１０は、以下の条件式（５）を満足する。
−４．５０≦ｆ７／ｆ≦−１．９０                              （５）
【００２８】
条件式（５）は、第７レンズＬ７の焦点距離ｆ７と撮像レンズ１０全体の焦点距離ｆとの比を規定するものである。条件式（５）の範囲内にすることにより、諸収差の補正が容易で、且つ、｜ＴＶ＿Ｄ｜＜１．０％での広角化が容易となる。
【００２９】
この撮像レンズ１０は、以下の条件式（６）を満足する。
０．９０≦ν１／ν２≦１．１０                                （６）
【００３０】
条件式（６）は、第１レンズＬ１のアッベ数ν１と第２レンズＬ２のアッベ数ν２との比を規定するものである。条件式（６）の範囲内にすることにより、諸収差の補正が容易で、且つ、｜ＴＶ＿Ｄ｜＜１．０％での広角化が容易となる。
【００３１】
この撮像レンズ１０は、以下の条件式（７）を満足する。
０．９０≦ν３／ν２≦１．１０                                （７）
【００３２】
条件式（７）は、第３レンズＬ３のアッベ数ν３と第２レンズＬ２のアッベ数ν２との比を規定するものである。条件式（７）の範囲内にすることにより、諸収差の補正が容易で、且つ、｜ＴＶ＿Ｄ｜＜１．０％での広角化が容易となる。
【００３３】
撮像レンズ１０を構成する７枚レンズが、それぞれ前記の構成及び、条件式を満たすことにより、｜ＴＶ＿Ｄ｜＜１．０％で、良好な光学特性を有し、２ω＞１１０°の広角な７枚のレンズで構成される撮像レンズを得ることが可能となる。
【００３４】
以下に、本発明の撮像レンズ１０について、実施例を用いて説明する。各実施例に記載されている記号は以下のことを示す。なお、距離、半径及び軸上厚みの単位は、ｍｍである。
ｆ：撮像レンズ全体の焦点距離
ｆ１：第１レンズＬ１の焦点距離
ｆ２：第２レンズＬ２の焦点距離
ｆ３：第３レンズＬ３の焦点距離
ｆ４：第４レンズＬ４の焦点距離
ｆ５：第５レンズＬ５の焦点距離
ｆ６：第６レンズＬ６の焦点距離
ｆ７：第７レンズＬ７の焦点距離
絞り値ＦＮＯ：撮像レンズの有効焦点距離と入射瞳径の比
２ω：全画角
ＳＴＯＰ：開口絞り
ＩＨ：撮像レンズの像高
Ｒ：光学面の中心曲率半径
Ｒ１：第１レンズＬ１の物体側の面Ｓ１の中心曲率半径
Ｒ２：第１レンズＬ１の像側の面Ｓ２の中心曲率半径
Ｒ３：第２レンズＬ２の物体側の面Ｓ３の中心曲率半径
Ｒ４：第２レンズＬ２の像側の面Ｓ４の中心曲率半径
Ｒ５：第３レンズＬ３の物体側の面Ｓ５の中心曲率半径
Ｒ６：第３レンズＬ３の像側の面Ｓ６の中心曲率半径
Ｒ７：第４レンズＬ４の物体側の面Ｓ７の中心曲率半径
Ｒ８：第４レンズＬ４の像側の面Ｓ８の中心曲率半径
Ｒ９：第５レンズＬ５の物体側の面Ｓ９の中心曲率半径
Ｒ１０：第５レンズＬ５の像側の面Ｓ１０の中心曲率半径
Ｒ１１：第６レンズＬ６の物体側の面Ｓ１１の中心曲率半径
Ｒ１２：第６レンズＬ６の像側の面Ｓ１２の中心曲率半径
Ｒ１３：第７レンズＬ７の物体側の面Ｓ１３の中心曲率半径
Ｒ１４：第７レンズＬ７の像側の面Ｓ１４の中心曲率半径
Ｒ１５：ガラス平板ＧＦの物体側の面Ｓ１５の中心曲率半径
Ｒ１６：ガラス平板ＧＦの像側の面Ｓ１６の中心曲率半径
ｄ：レンズの軸上厚み、又は、レンズ間の軸上距離
ｄ１：第１レンズＬ１の軸上厚み
ｄ２：第１レンズＬ１の像側の面Ｓ２から開口絞りＳＴＯＰまでの軸上距離
ｄ３：開口絞りＳＴＯＰから第２レンズＬ２の物体側の面Ｓ３までの軸上距離
ｄ４：第２レンズＬ２の軸上厚み
ｄ５：第２レンズＬ２の像側の面Ｓ４から第３レンズＬ３の物体側の面Ｓ５までの軸上距離
ｄ６：第３レンズＬ３の軸上厚み
ｄ７：第３レンズＬ３の像側の面Ｓ６から第４レンズＬ４の物体側の面Ｓ７までの軸上距離
ｄ８：第４レンズＬ４の軸上厚み
ｄ９：第４レンズＬ４の像側の面Ｓ８から第５レンズＬ５の物体側の面Ｓ９までの軸上距離
ｄ１０：第５レンズＬ５の軸上厚み
ｄ１１：第５レンズＬ５の像側の面Ｓ１０から第６レンズＬ６の物体側の面Ｓ１１までの軸上距離
ｄ１２：第６レンズＬ６の軸上厚み
ｄ１３：第６レンズＬ６の像側の面Ｓ１２から第７レンズＬ７の物体側の面Ｓ１３までの軸上距離
ｄ１４：第７レンズＬ７の軸上厚み
ｄ１５：第７レンズＬ７像側の面Ｓ１４からガラス平板ＧＦの物体側の面Ｓ１５までの軸上距離
ｄ１６：ガラス平板ＧＦの軸上厚み
ｄ１７：ガラス平板ＧＦの像側の面Ｓ１６から像面までの軸上距離
Ｄ１２：第１レンズＬ１の物体側の面Ｓ１から第２レンズＬ２の像側の面Ｓ４までの軸上距離
Ｄ２３：第２レンズＬ２の物体側の面Ｓ３から第３レンズＬ３の像側の面Ｓ６までの軸上距離
ｎｄ：ｄ線の屈折率
ｎｄ１：第１レンズＬ１のｄ線の屈折率
ｎｄ２：第２レンズＬ２のｄ線の屈折率
ｎｄ３：第３レンズＬ３のｄ線の屈折率
ｎｄ４：第４レンズＬ４のｄ線の屈折率
ｎｄ５：第５レンズＬ５のｄ線の屈折率
ｎｄ６：第６レンズＬ６のｄ線の屈折率
ｎｄ７：第７レンズＬ７のｄ線の屈折率
ｎｄｇ：ガラス平板ＧＦのｄ線の屈折率
νｄ：アッベ数
ν１：第１レンズＬ１のアッベ数
ν２：第２レンズＬ２のアッベ数
ν３：第３レンズＬ３のアッベ数
ν４：第４レンズＬ４のアッベ数
ν５：第５レンズＬ５のアッベ数
ν６：第６レンズＬ６のアッベ数
ν７：第７レンズＬ７のアッベ数
νｇ：ガラス平板ＧＦのアッベ数
ＴＴＬ：光学長（第１レンズＬ１の物体側の面Ｓ１から像面Ｓｉまでの軸上距離）
【００３５】
図１は、第１実施形態の撮像レンズ１０の配置を示す構成図である。第１実施形態の撮像レンズ１０を構成する第１レンズＬ１〜第７レンズＬ７のそれぞれの物体側の面及び像側の面の中心曲率半径Ｒ、レンズ軸上厚み又はレンズ間軸上距離ｄ、屈折率ｎｄ、アッベ数νｄを表１に、Ｓ１〜Ｓ１３面の円錐係数ｋ、非球面係数を表２に、Ｓ１４面の円錐係数ｋ、自由曲面係数を表３に、２ω、Ｆｎｏ、ｆ、ｆ１、ｆ２、ｆ３、ｆ４、ｆ５、ｆ６、ｆ７、ＴＴＬ、ＴＶ＿Ｄを表４に示す。
【００３６】
表１は、本発明の第１実施形態に係る撮像レンズ１０の設定データを示す。
【００３７】
【表１】
0006900584.tif 000002
参照波長＝５８７．５６１８ｎｍ
【００３８】
表２は、本発明の第１実施形態に係る撮像レンズ１０の第１レンズＬ１〜第６レンズＬ６のそれぞれのレンズの物体側の面と像側の面、及び第７レンズＬ７の物体側の面の非球面のデータを示す。
【００３９】
【表２】
0006900584.tif 000003
【００４０】
ｚ＝(ｃｒ２)／{１＋[１−(ｋ＋１)(ｃ２ｒ２)]１／２}＋Ａ４ｒ４＋Ａ６ｒ６＋Ａ８ｒ８＋Ａ１０ｒ１０＋Ａ１２ｒ１２＋Ａ１４ｒ１４＋Ａ１６ｒ１６＋Ａ１８ｒ１８＋Ａ２０ｒ２０            （８）
【００４１】
ここで、ｋは円錐係数であり、Ａ４、Ａ６、Ａ８、Ａ１０、Ａ１２、Ａ１４、Ａ１６、Ａ１８、Ａ２０は非球面係数であり、ｃは、光学面中心における曲率であり、ｒは、非球面曲線上の点と光軸との垂直距離であり、ｚは、非球面深さ(非球面において光軸からｒ離れた点と、非球面の光軸上の頂点に接する接平面の両者間の垂直距離)である。
【００４２】
各レンズ面の非球面は、便宜上、上記式(８)で表される非球面を使用している。しかしながら、本発明は、特にこの式（８）の非球面多項式に限定されるものではない。
【００４３】
表３は、本発明の第１実施形態に係る撮像レンズ１０の第７レンズＬ７の像側の面の自由曲面のデータを示す。
【００４４】
【表３】
0006900584.tif 000004
【００４５】
0006900584.tif 000005
（９）
【００４６】
ここで、ｋは円錐係数であり、Ｂｉは自由曲面係数、ｃは光学面中心における曲率であり、ｒは自由曲面上の点と光軸との垂直距離であり、ｘはｒのｘ方向分量、ｙはｒのｙ方向分量、ｚは非球面深さ（非球面における光軸から離れた距離がｒである点と、非球面光軸上の頂点に接する接平面との垂直距離）である。
【００４７】
第７レンズＬ７の像側面Ｓ１６の自由曲面は、便宜上、式（９）で表される自由曲面を使用している。しかしながら、特に、この式（９）の多項式に限定するものではない。
【００４８】
表４は、本発明の第１実施形態に係る２ω、Ｆｎｏ、ｆ、ｆ１、ｆ２、ｆ３、ｆ４、ｆ５、ｆ６、ｆ７、ＴＴＬ、ＴＶ＿Ｄのデータを示す。
【００４９】
【表４】
0006900584.tif 000006
【００５０】
後に登場する表１３は、第１実施形態、第２実施形態、第３実施形態の諸数値及び条件式（１）〜（７）で規定したパラメータに対応する値を示す。
【００５１】
第１実施形態は、表１３に示すように、条件式（１）〜（７）を満足する。
【００５２】
第１実施形態の撮像レンズ１０の各像高でのＲＭＳ  ＳＰＯＴ径を図２に、Ｄｉｓｔｏｒｔｉｏｎ  Ｇｒｉｄを図３に示す。第１実施形態の撮像レンズ１０は、｜ＴＶ＿Ｄ｜＜１．０％で、良好な光学特性を有し、広角なことがわかる。尚、図１０に、ＴＶ＿Ｄの計算方法の説明を示す。
【００５３】
（第２実施形態）
図４は、第２実施形態の撮像レンズ２０の配置を示す構成図である。第２実施形態は、第１実施形態とほぼ同じであり、符号の意味も第１実施形態と同様であるため、異なる点のみを以下に示す。
【００５４】
表５、表６は、本発明の第２実施形態に係る撮像レンズ２０の設定データを示す。
【００５５】
第２実施形態の撮像レンズ２０を構成する第１レンズＬ１〜第７レンズＬ７のそれぞれの物体側の面及び像側の面の中心曲率半径Ｒ、レンズ軸上厚み又はレンズ間軸上距離ｄ、屈折率ｎｄ、アッベ数νｄを表５に、Ｓ１〜Ｓ１３面の円錐係数ｋ、非球面係数を表６に、Ｓ１４面の円錐係数ｋ、自由曲面係数を表７に、２ω、Ｆｎｏ、ｆ、ｆ１、ｆ２、ｆ３、ｆ４、ｆ５、ｆ６、ｆ７、ＴＴＬ、ＴＶ＿Ｄを表８に示す。
【００５６】
【表５】
0006900584.tif 000007
参照波長＝５８７．５６１８ｎｍ
【００５７】
表６は、本発明の第２実施形態に係る撮像レンズ２０における各レンズの非球面のデータを示す。
【００５８】
【表６】
0006900584.tif 000008
【００５９】
表７は、本発明の第２実施形態に係る撮像レンズ２０の第７レンズＬ７の像側の面の自由曲面のデータを示す。
【００６０】
【表７】
0006900584.tif 000009
【００６１】
表８は、本発明の第２実施形態に係る２ω、Ｆｎｏ、ｆ、ｆ１、ｆ２、ｆ３、ｆ４、ｆ５、ｆ６、ｆ７、ＴＴＬ、ＴＶ＿Ｄのデータを示す。
【００６２】
【表８】
0006900584.tif 000010
【００６３】
第２実施形態は、表１３に示すように、条件式（１）〜（７）を満足する。
【００６４】
第２実施形態の撮像レンズの各像高でのＲＭＳ  ＳＰＯＴ径を図５に、Ｄｉｓｔｏｒｔｉｏｎ  Ｇｒｉｄを図６に示す。第２実施形態の撮像レンズは、｜ＴＶ＿Ｄ｜＜１．０％で、良好な光学特性を有し、広角なことがわかる。
【００６５】
（第３実施形態）
図７は、第３実施形態の撮像レンズ３０の配置を示す構成図である。第３実施形態は、第１実施形態とほぼ同じであり、符号の意味も第１実施形態と同様であるため、異なる点のみを以下に示す。
【００６６】
表９、表１０は、本発明の第３実施形態に係る撮像レンズ３０の設定データを示す。
【００６７】
第３実施形態の撮像レンズ３０を構成する第１レンズＬ１〜第７レンズＬ７のそれぞれの物体側の面及び像側の面の中心曲率半径Ｒ、レンズ軸上厚み又はレンズ間軸上距離ｄ、屈折率ｎｄ、アッベ数νｄを表９に、Ｓ１〜Ｓ１３面の円錐係数ｋ、非球面係数を表１０に、Ｓ１４面の円錐係数ｋ、自由曲面係数を表１１に、２ω、Ｆｎｏ、ｆ、ｆ１、ｆ２、ｆ３、ｆ４、ｆ５、ｆ６、ｆ７、ＴＴＬ、ＴＶ＿Ｄを表１２に示す。
【００６８】
【表９】
0006900584.tif 000011
参照波長＝５８７．５６１８ｎｍ
【００６９】
表１０は、本発明の第３実施形態に係る撮像レンズ３０における各レンズの非球面のデータを示す。
【００７０】
【表１０】
0006900584.tif 000012
【００７１】
表１１は、本発明の第３実施形態に係る撮像レンズ３０の第７レンズＬ７の像側の面の自由曲面のデータを示す。
【００７２】
【表１１】
0006900584.tif 000013
【００７３】
表１２は、本発明の第３実施形態に係る２ω、Ｆｎｏ、ｆ、ｆ１、ｆ２、ｆ３、ｆ４、ｆ５、ｆ６、ｆ７、ＴＴＬ、ＴＶ＿Ｄのデータを示す。
【００７４】
【表１２】
0006900584.tif 000014
【００７５】
第３実施形態は、表１３に示すように、条件式（１）〜（７）を満足する。
【００７６】
第３実施形態の撮像レンズ３０の各像高でのＲＭＳ  ＳＰＯＴ径を図８に、Ｄｉｓｔｏｒｔｉｏｎ  Ｇｒｉｄを図９に示す。第３実施形態の撮像レンズ３０は、｜ＴＶ＿Ｄ｜＜１．０％で、良好な光学特性を有し、広角なことがわかる。
【００７７】
表１３に、第１実施形態、第２実施形態、第３実施形態の諸数値及び条件式（１）〜（７）で規定したパラメータに対応する値を示す。
【００７８】
【表１３】
0006900584.tif 000015
【００７９】
上記の各実施形態は本発明を実現するための具体的な実施形態であるが、実際の応用において、本発明の主旨及び範囲から逸脱することなく、形式及び細部に対する種々の変更を行うことができることは、当業者であれば理解できるはずである。
【要約】
【課題】本発明は、光学レンズの分野に関し、撮像レンズを開示する。
【解決手段】物体側から順に、負の屈折力を有する第１レンズ、正の屈折力を有する第２レンズ、第３レンズ、負の屈折力を有する第４レンズ、正の屈折力を有する第５レンズ、第６レンズ、負の屈折力を有し、像側の面を自由曲面とした第７レンズからなり、撮像光学レンズ、第２レンズ、第３レンズ、第４レンズの焦点距離をｆ、ｆ２、ｆ３、ｆ４、第１レンズの物体側の面から第２レンズの像側面までの軸上距離をＤ１２、第２レンズの物体側の面から第３レンズの像側面までの軸上距離をＤ２３にしたときに、｜ｆ２／ｆ３｜≦０．０７、−０．５０≦ｆ２／ｆ４≦−０．３０、０．５８≦Ｄ１２／ｆ≦０．６４、０．３５≦Ｄ２３／ｆ≦０．４５の条件式を満す。本発明は、｜ＴＶ＿Ｄ｜＜１．０％で、良好な光学特性を有し、２ω＞１１０°の広角な７枚のレンズで構成される撮像レンズを提供する。
【選択図】図１【図１】
0006900584.tif 000016
【図２】
0006900584.tif 000017
【図３】
0006900584.tif 000018
【図４】
0006900584.tif 000019
【図５】
0006900584.tif 000020
【図６】
0006900584.tif 000021
【図７】
0006900584.tif 000022
【図８】
0006900584.tif 000023
【図９】
0006900584.tif 000024
【図１０】
0006900584.tif 000025